(57)【特許請求の範囲】
【請求項１】
フィルムの給送速度を検出するフィルム給送速度検出手段と、フィルム給送用モータと、該フィルム給送用モータへの通電状態を変更する通電状態変更手段と、フィルムに具備された磁気記録部に記録された磁気情報を再生する磁気再生手段とを備えたカメラにおいて、前記フィルム給送速度検出手段の出力に基づいて、前記通電状態変更手段の通電状態変更周波数を設定する変更周波数設定手段を設け、前記通電状態変更手段の通電状態変更周波数は、磁気再生信号周波数よりも高く設定されるようにしたことを特徴とするカメラ。
【請求項２】
フィルムの給送速度を検出するフィルム給送速度検出手段と、フィルム給送用モータと、該フィルム給送用モータへの通電状態を変更する通電状態変更手段と、フィルムに具備された磁気記録部に記録された磁気情報を再生する磁気再生手段とを備えたカメラにおいて、前記フィルム給送速度検出手段の出力に基づいて、前記通電状態変更手段の通電状態変更周波数を設定する変更周波数設定手段を設け、前記通電状態変更手段の通電状態変更周波数は、前記フィルム給送用モータの漏れ磁束周波数よりも高く設定されるようにしたことを特徴とするカメラ。
【発明の詳細な説明】
【０００１】
【産業上の利用分野】
本発明は、フィルムに具備された磁気記録部に記録された磁気情報を再生する磁気再生手段を備えたカメラの改良に関するものである。
【０００２】
【従来の技術】
従来、フィルム給送速度の制御をフィルム給送用モータへの通電の有無によって行うといったものが特開平５−３４１３６５号にて開示されている。
【０００３】
また、フィルムに具備された磁気記録部に記録された情報を正確に再生する為に、カメラに磁気再生回路のフィルタ定数を変える構成のものが特開平４−２５８９４３号にて開示されている。
【０００４】
【発明が解決しようとする課題】
しかしながら、上記特開平５−３４１３６５号の従来例においては、フィルム給送用モータの通電切換えのタイミング（ＰＷＭ周波数）に関しては何ら開示がなされていなかった。
【０００５】
又、従来はＰＷＭ周波数を可聴音領域以外の２０ＫＨｚ程度に設定していた為、磁気再生ヘッドにフィルム給送用モータの磁束変化分がノイズとして重畳してしまい、正しい磁気情報の再生ができないものであった。
【０００６】
また、特開平４−２５８９４３号の従来例においては、磁気再生回路にフィルタ定数切換回路の追加を必要とする為、回路構成が複雑となり、実装面積の増大を招いていた。
【０００７】
（発明の目的）
本発明の目的は、複雑な回路構成にすることなく、ノイズの無い、安定した磁気再生信号を得ることのできるカメラを提供することである。
【０００９】
【課題を解決するための手段】
上記目的を達成するために、請求項１記載の本発明は、フィルムの給送速度を検出するフィルム給送速度検出手段と、フィルム給送用モータと、該フィルム給送用モータへの通電状態を変更する通電状態変更手段と、フィルムに具備された磁気記録部に記録された磁気情報を再生する磁気再生手段とを備えたカメラにおいて、前記フィルム給送速度検出手段の出力に基づいて、前記通電状態変更手段の通電状態変更周波数を設定する変更周波数設定手段を設け、前記通電状態変更手段の通電状態変更周波数が、磁気再生信号周波数よりも高く設定されるようにして、通電状態変更周波数が磁気再生信号周波数に干渉しない様にすると共に、帯域の狭い磁気再生信号のみを通過させるようにしている。
【００１０】
また、上記目的を達成するために、請求項２記載の本発明は、フィルムの給送速度を検出するフィルム給送速度検出手段と、フィルム給送用モータと、該フィルム給送用モータへの通電状態を変更する通電状態変更手段と、フィルムに具備された磁気記録部に記録された磁気情報を再生する磁気再生手段とを備えたカメラにおいて、前記フィルム給送速度検出手段の出力に基づいて、前記通電状態変更手段の通電状態変更周波数を設定する変更周波数設定手段を設け、前記通電状態変更手段の通電状態変更周波数が、前記フィルム給送用モータの漏れ磁束周波数よりも高く設定されるようにして、フィルム給送用モータからの漏れ磁束を低減するようにしている。
【００１１】
【実施例】
以下、本発明を図示の実施例に基づいて詳細に説明する。
【００１２】
図１〜図６は本発明の第１の実施例におけるカメラに係る図であり、図１はカメラの要部構成を示す斜視図である。
【００１３】
図１において、１はフィルム、２（２ａ，２ｂ，２ｃ…）はフィルム１に備わったパーフォレーション、３はフィルム１に具備された磁気記録部、４はフィルムカートリッジ、５はフィルムカートリッジ４の可動遮光窓開閉駆動部である。６はフィルムカートリッジ４に収納されたフィルム１が“露光済”か“未露光”か等の状態を表示するフィルム露光状態表示部であり、白黒のパターンにより表示する。７はフィルムカートリッジ４の可動遮光窓であり、前記可動遮光窓開閉駆動部６により駆動されて開閉する。８はフィルムカートリッジ４のスプール軸であり、該スプール軸８がフィルム１をフィルムカートリッジ４に巻戻す方向に回転することにより、フィルム１がフィルムカートリッジ４内に巻き込まれる。９はフィルムカートリッジ４の表示窓であり、ここを通して後述の検出手段によりフィルム露光状態表示部６の状態検出が行われる。
【００１４】
１０はフィルム１に具備された磁気記録部３に情報を記録，再生する為の磁気ヘッドである。１１は磁気ヘッド１０と対向して配置され、予め決められた力でフィルム１を挟むパッドであり、該パッド１１と磁気ヘッド１０とにより生じる力で磁気ヘッド１０をフィルム１上の磁気記録部３に密着させている。１２，１３はフォトリフレクタであり、フィルム露光状態表示部６の状態やフィルム情報の検出手段を成している。１５は可動遮光窓開閉部材であり、この回転により前記可動遮光窓開閉駆動部５を介して可動遮光窓７を開閉する。１６は可動遮光窓開閉部材１５上の前記可動遮光窓開閉駆動部５への継合部である。１７は可動遮光窓開閉部材１５上の電極部材であり、可動遮光窓開閉部材１５の回転により可動遮光窓開閉検出スイッチ１８，１９が導通，非導通の状態となる（ここでは、可動遮光窓７が開成となる事により、導通状態となる）。２０はギアユニットであり、可動遮光窓開閉用モータ２１の駆動力をギア２２を介して可動遮光窓開閉部材１５を駆動する。２３，２４はフィルムカートリッジ在否検知スイッチであり、フィルムカートリッジ４が不図示のカメラ本体内のカートリッジ室に挿入されると導通する。
【００１５】
２５は給送用継合部材であり、この回転によりフィルム１をフィルムカートリッジ４内より押し出したり、巻戻したりすることができる。２６はギアユニットであり、フィルム給送用モータ２７の駆動力をギア２８を介して給送用継合部材２５と不図示のフィルム巻取り部材に伝達する。２９，３０はフィルム１に備わったパーフォレーション（２ａ，２ｂ，２ｃ…）を検出するフォトリフレクタである。
【００１６】
上記構成において、フィルムの巻上げ時には、フィルム給送用モータ２７の駆動力がギアユニット２６を介して給送用継合部材２５及び不図示のフィルム巻取り部材に伝わり、給送用継合部材２５はフィルム１をフィルムカートリッジ４内から押し出す方向に回転し、不図示のフィルム巻取り部材はフィルム１を巻取る方向に回転する。これにより、フィルム１がフィルムカートリッジ４内から押し出され、不図示のフィルム巻取り部材に巻き取られるようになり、その後、フィルム巻取り部材の巻取り力が給送用継合部材２５により生じる押出し力よりも優勢となると、ギアユニット２６内の遊星ギヤが外れて給送用継合部材２５の駆動力がなくなる。よって、フィルム巻取り時のフィルム給送用モータ２７の給送負荷を減ずることができる。
【００１７】
また、フィルム１の巻戻し時は、フィルム給送用モータ２７は逆回転し、給送用継合部材２５はフィルム１をフィルムカートリッジ４に巻込む方向に回転し、フィルム１をフィルムカートリッジ４内に巻込むことができる。
【００１８】
次に、フィルム給送時の前記フォトリフレクタ２９，３０の働きについて説明する。
【００１９】
フィルム１が移動し、フォトリフレクタ２９の前をパーフォレーション２（例えば２ｂ）が通過すると、該フォトリフレクタ２９にパルス信号が発生し、このパルス信号の立上りと立下り（パーフォレーション２ａのスタートエッジとエンドエッジ）に応答してフィルム１の移動速度に応じた記録周波数の信号が磁気ヘッド１０に印加され、磁気記録がなされる。次にフォトリフレクタ３０の前をパーフォレーション２（２ｂ）が通過し、該フォトリフレクタ３０にパルス信号が発生すると、後述の制御回路によってフィルム給送用モータ２７への通電が時分割とされ、該フィルム１が停止し易いように減速される。そして、次のパーフォレーション２（２ｃ）がフォトリフレクタ２９の位置を通過することにより、この瞬間にフィルム給送用モータ２７の両端電極がＧＮＤ電位にとされ、ブレーキがかけられてフィルム１が停止される。
【００２０】
図２はフィルム１へ磁気ヘッド１０により磁気情報の記録を行う際の様子を示す図である。
【００２１】
図２において、１４ａ〜１４ｅはフィルム１上の露光部であり、１４ａ〜１４ｃは露光済駒を、１４ｄ〜１４ｅは未露光駒を、それぞれ示している。その他の部分は前述した通りである。
【００２２】
図３は上記のカメラの電気的構成を示すブロック図であり、図１と同じ部分は同一符号を付してある。
【００２３】
図３において、３１は制御回路、３２はオートフォーカス制御（ＡＥ），自動露出量制御（ＡＥ），シャッタ制御（ＳＨ）等その他の制御回路、３３はＬＣＤ等による表示部、３４は発音体、３５，３６は可動遮光窓開閉用モータ２１，フィルム給送用モータ２７を駆動するドライバ回路、３７は前記磁気ヘッド１０を駆動して情報の記録を行ったり、情報の再生を行う磁気記録再生部である。
【００２４】
ＳＷ１は不図示のレリーズボタンの第１ストロークによりＯＮするスイッチ、ＳＷ２は不図示のレリーズボタンの第２ストロークによりＯＮするスイッチ、ＳＷ３はフィルムを途中で巻戻する際に使用する巻戻しスイッチである。ＳＷ４は前記可動遮光窓開閉検出スイッチ１８，１９に相当する可動遮光窓開閉検出スイッチ、ＳＷ５は前記フィルムカートリッジ在否検知スイッチ２３，２４に相当するフィルムカートリッジ在否検知スイッチ、ＳＷ６はカートリッジ室蓋閉検知スイッチである。
【００２５】
次に、上記構成のカメラ（制御回路３１）の動作について、図４のフローチャートにより説明する。
【００２６】尚、図４のフローにおいては、フィルム露光状態表示部６をＥＩ（Ｅｘｐｏｓｕｅｒ  Ｉｎｄｉｃａｔｏｒ）  とし、その表示状態が“全駒露光済”であることをＥ（Ｅｘｐｏｓｅｄ）、“現像済”であることをＰｒ（Ｐｒｏｃｅｓｓｅｄ）、“部分露光済”であることをＰａ（Ｐａｒｔｉａｌｌｙ  ｅｘｐｏｓｅｄ）、“未露光駒”であることをＦ（Ｆｌｅｓｈ  ）と、それぞれ略記している。また、可動遮光窓７をＬＬ（Ｌｉｇｈｔ  Ｌｏｏｋ）と略記している。
【００２７】
カメラに電源が投入されると、ステップＳ１０１を介してステップＳ１０２において、カートリッジ室蓋が閉か否かをカートリッジ室蓋閉検知スイッチＳＷ６の状態より検出する。もしカートリッジ室蓋が開状態ならばこのステップに留まる。その後、カートリッジ室蓋の閉を検知することによりステップＳ１０３へ進み、ここではフィルムカートリッジ在否検知スイッチＳＷ５の状態よりフィルムカートリッジ４の在否を検出する。もしフィルムカートリッジ４が装填されていなければステップＳ１０２へ戻り、同様の動作を繰り返す。又フィルムカートリッジ４が装填されていればステップＳ１０４へ進む。
【００２８】
ステップＳ１０４においては、ドライバ回路３５により可動遮光窓開閉用モータ２１を駆動し、可動遮光窓開閉部材１５を介してフィルムカートリッジ４の可動遮光窓開閉駆動部５を回転させ、可動遮光窓７の開動作を開始する。そして、可動遮光窓開閉検出スイッチＳＷ４が導通状態になったら、前記可動遮光窓開閉用モータ２１を停止する。これにより可動遮光窓７が開き、フィルムカートリッジ４のスプール軸８が回動可能となる。よって、今度は制御回路３１はドライバ回路３６によりフィルム給送用モータ２７を駆動し、給送用継合部材２５を回転させてフィルムカートリッジ４内よりフィルム１の押し出しを開始する。
【００２９】
次のステップＳ１０５においては、前記フィルム給送に連動してフィルム露光状態表示部６が回転するが、その表面に白黒パターンにて記録された各種の情報、つまり露光可能なフィルム規定駒数，フィルム感度（ＩＳＯ），フィルム種類等のフィルム情報をフォトリフレクタ１２，１３によって読み取る。又この際、フィルム露光状態表示部６の状態をも読み取る。
【００３０】
そして、ステップＳ１０６において、上記フォトリフレクタ１２，１３にて読み取ったフィルム露光状態表示部６の状態を判別する。この結果、フィルム全露光の状態である“全駒露光済”又は“現像済”であることを判別した場合にはステップＳ１１９へ進み、“未露光”であることを検出した場合にはステップＳ１０７へ進み、“部分露光済”であることを検出した場合にはステップＳ１２０へ進む。
【００３１】
まず、“未露光”であることを判別したとして、ステップＳ１０７へ進んだ場合の動作について説明する。
【００３２】
ステップＳ１０７からステップＳ１０９までにおいては、ドライバ回路３６によりフィルム給送用モータ２７を駆動し、フィルムカートリッジ４内よりフィルム１の押し出しを開始し、このフィルムの給送において、パーフォレーション２を検出するフォトリフレクタ２９及び３０の出力信号を監視しつつ、撮影駒数Ｋの値を「０」にし、やがてフィルム１の第１駒（フレーム）が撮影可能位置に達すると上記フィルム給送用モータ２７への通電を停止しすると共に、前記撮影駒数を「１」に設定する。
【００３３】
次のステップＳ１１０においては、不図示のレリーズボタンが押されてスイッチＳＷ１がＯＮしたか否かを検知し、ＯＮしていなければＯＮするまでこのステップに留まる。その後、該スイッチＳＷ１がＯＮするとステップＳ１１１へ進み、制御回路３２を用いて公知の測光及び測距動作を行い、かつ、得られる測距情報に基づいてオートフォーカス制御を行う。
【００３４】
次のステップＳ１１２においては、さらに前記レリーズボタンが押されてスイッチＳＷ２がＯＮしたか否かを検知し、ＯＮしていなければ上記ステップＳ１１１へ戻って同様の動作を繰り返す。その後、該スイッチＳＷ２がＯＮするとステップＳ１１３へ進み、再び制御回路３２を用いて上記の測光動作により得られた測光情報に基づいてシャッタを開閉制御を行う。そして、ステップＳ１１４において、ドライバ回路３６を介してフィルム給送用モータ２７を駆動してフィルムの１駒巻上げを行う。この際、パーフォレーション検出用のフォトリフレクタ２９の出力に基づいて記録周波数を決定し、磁気ヘッド１０を駆動してフィルム１に具備された磁気記録部３に日付，シャッタ速度等の撮影情報の記録を行う。
【００３５】
次に、ステップＳ１１５において、途中取出しスイッチＳＷ３の状態を調べ、もしＯＮしていたならばフィルムの途中取出しを行う為にステップＳ１２４へ進み、ドライバ回路３６を介してフィルム給送用モータ２７を逆転させてフィルムの巻戻しを開始し、パーフォレーション検出用のフォトリフレクタ２９より信号が発生しなくなることにより、前記フィルム給送用モータ２７の駆動を停止する。そして、次のステップＳ１２５において、パーフォレーション検出用のフォトリフレクタ２９より信号が発生しなくなってから一定時間後、前記フィルム給送用モータ２７をフォトリフレクタ１２，１３の信号に応じて再び駆動制御し、フィルム露光状態表示部６の回転位置を“部分露光済”の状態に合わせる。
【００３６】
次に、ステップＳ１２６において、ドライバ回路３５を介して可動遮光窓開閉用モータ２１を駆動して可動遮光窓７を閉じ、次のステップＳ１２７において、フィルムカートリッジ取出し可能の表示を表示部３３に行う。そして、ステップＳ１２８において一連の動作を終了する。
【００３７】
また、上記ステップＳ１１５において途中取出しスイッチＳＷ３がＯＦＦであった場合には、ステップＳ１１６へ進み、ここで撮影駒数Ｋが規定駒数（最終フレーム）に達しているかどうかを調べ、達していなければステップＳ１０９へ戻り、撮影駒数Ｋの値を「＋１」する。そして、前述のステップＳ１１０以降の動作を行う。
【００３８】
その後、前記ステップＳ１１６において撮影駒数Ｋが規定駒数に達したことを検出した場合には、ステップＳ１１７へ進み、ドライバ回路３６を介してフィルム給送用モータ２７を逆転させてフィルムの巻戻しを開始し、パーフォレーション検出用のフォトリフレクタ２９より信号が発生しなくなることにより、前記フィルム給送用モータ２７の駆動を停止する。そして、次のステップＳ１１８において、パーフォレーション検出用のフォトリフレクタ２９より信号が発生しなくなってから一定時間後、前記フィルム給送用モータ２７をフォトリフレクタ１２，１３の信号に応じて再び駆動制御し、フィルム露光状態表示部６の回転位置を“露光済”の状態に合わせる。
【００３９】
その後は前述したステップＳ１２６へ進み、ドライバ回路３５を介して可動遮光窓開閉用モータ２１を駆動して可動遮光窓７を閉じ、次のステップＳ１２７において、フィルムカートリッジ取出し可能の表示を表示部３３に行い、ステップＳ１２８において一連の動作を終了する。
【００４０】
次に、上記ステップＳ１０６において、フィルム露光状態表示部６の状態が“露光済”もしくは“現像済”であることを検出した場合について説明する。
【００４１】
この場合はスプール軸８が回転してフィルム露光状態表示部６の位置が変ってしまう場合があり、また、露光済の場合は可動遮光窓７が開状態では感光してしまうので、ステップＳ１０６からステップＳ１１９へ進み、フィルム給送用モータ２７をフォトリフレクタ１２，１３の出力信号に応じて駆動制御してフィルム露光状態表示部６を元の状態に合せる。そして、前述のステップＳ１２６へ進み、ドライバ回路３５を介して可動遮光窓開閉用モータ２１を駆動して可動遮光窓７を閉じ、次のステップＳ１２７において、フィルムカートリッジ取出し可能の表示を表示部３３に行い、ステップＳ１２８において一連の動作を終了する。
【００４２】
次に、上記ステップＳ１０６において、フィルム露光状態表示部６の状態が“部分露光済”であることを検出した場合について説明する。
【００４３】
この場合はステップＳ１０６からステップＳ１２０へ進み、ドライバ回路３６によりフィルム給送用モータ２７を駆動し、給送用継合部材２５を回転させてフィルムカートリッジ４内よりフィルム１の押し出しを開始する。なお、ここでの動作は本発明において重要であるので、図５のフローチャートを用いて詳細は後述する。
【００４４】
そして、次のステップＳ１２１において、前記フィルム給送に連動してフィルム露光状態表示部６が回転するが、その表面に白黒パターンにて記録された各種の情報（露光可能なフィルム規定駒数，フィルム感度，フィルム種類等の情報）をフォトリフレクタ１２，１３によって読み取る。次いでステップＳ１２２において、フィルム給送用モータ２７を駆動してフィルム１の給送制御を行い、Ｋフレームを撮影可能な位置に合せる。この際、Ｋ−１フレームまで磁気記録情報であるディジタル信号を検出し、Ｋフレームでディジタル信号を検出できない時は、フィルム１を巻戻し、再度Ｋ−１フレームのディジタル信号を検出する。Ｋ−１フレームでディジタル信号が再度検出されたならば、磁気ヘッド１０にゴミの付着がないと考えられることからＫフレームは「未露光」と判別できるので、上記の様にＫフレームを撮影可能な位置に合せる。
【００４５】
次いでステップ１２３において、途中取出しフィルムカートリッジの再セット完了の表示を表示部３３に行い、これにより撮影準備が整ったことになるので、前述のステップＳ１１０へ進み、スイッチＳＷ１のＯＮ待機の状態に入る。
【００４６】
図５は、上記ステップ１２０において行われる“部分露光済”のフィルムカートリッジ４が装填されている際のフィルム給送時の動作を示すフローチャートであり、以下これに従って説明する。
【００４７】
図４のステップ１２０へ動作が移行すると、図５のステップＳ２０１を介してステップＳ２０２の動作を開始する。ステップＳ２０２においては、ドライバ回路３６によりフィルム給送用モータ２７を駆動し、フィルムカートリッジ４内よりフィルム１の押し出しを開始する。次のステップＳ２０３においては、フィルム給送中のフィルム１に具備されたパーフォレーション２のスタートエッジをフォトリフレクタ２９によって検出できたか否かを判別し、検出できない場合はステップＳ２０３へ戻り、同様の動作を繰り返す。
【００４８】
その後、フォトリフレクタ２９によってパーフォレーション２のスタートエッジを検出できるとステップＳ２０４へ進み、フィルム速度検出タイマＴＦＳをスタートさせ、次のステップＳ２０５において、フォトリフレクタ２９によって上記パーフォレーション２のエンドエッジを検出できるまでこのステップに留まる。そして、パーフォレーション２のエンドエッジが検出できるとステップＳ２０６へ進み、上記フィルム速度検出タイマＴＦＳをストップさせる。これにより、あるパーフォレーション２がフォトリフレクタ２９の前を通過し終えるまでのタイマ値が得られることになる。
【００４９】
次のステップＳ２０７においては、あらかじめ決められたフィルム給送用モータ２７に通電するパルス幅変調のパルス幅（フル充電時のフィルム速度検出タイマＴＦＳによりあらかじめ実験的に求められたパルス幅変調のパルス幅）を上記フィルム速度検出タイマＴＦＳにより切り換える。これは、フィルム給送速度を一定に保持する為である。通電パターンとしては、通電とショートの繰り返しが望まれる。しかし、通電パターンとして、通電とオープンの繰り返しでも良い。
【００５０】
以上の動作を終了すると、ステップＳ２０８を経てこのフローをリターンし、図４のステップＳ１２１へ進む。
【００５１】
図６は、フィルム給送用モータ２７の駆動時のパルス幅変調のパルスクロックと磁気記録再生部３７の周波数特性を示す図である。
【００５２】
本実施例では、図６に示す様に、フィルム給送用モータ２７の駆動時におけるパルス幅変調のパルスクロックを、磁気記録再生部３７の再生周波数領域外（高い周波数）に設定するようにしている。よって、磁気再生信号にパルス幅変調のノイズが重畳することがなくなり、常に磁気情報の再生を適正に行うことができる。
【００５３】
尚、フィルム給送速度がパルス幅変調により低下するので、磁気記録再生部３７の再生領域幅を狭くすることができる。磁気ヘッド１０，磁気記録再生部３７が生じる雑音は周波数帯域に応じて増大するので、再生帯域を狭くすることにより雑音出力を減少させることができる。
【００５４】
上記第１の実施例によれば、フィルム給送速度を一定にする様にしている為、安定した磁気再生信号を得ることができる。
【００５５】
また、フィルム給送用モータ２７の通電切換え周波数を磁気再生信号の周波数よりも高く設定する様にしている為、ノイズの無い磁気再生信号を得ることができる。
【００５６】
（第２の実施例）
図７は本発明の第２の実施例におけるカメラに係る図であり、図２のドライバ回路３６，フィルム給送用モータ２７の内部構成を示す回路図である。
【００５７】
図７において、４０はモータドライバＩＣ、４１は電源、４２はモータ駆動用電源、４３，４４，４５はコンデンサであり、これらによりドライバ回路３６を構成している。４６はコンデンサ、４７はモータであり、これらによりフィルム給送用モータ２７を構成している。
【００５８】
上記の構成において、フィルム給送用モータ２７に通電，ショートを繰り返すパルス幅変調制御の周波数（ＰＷＭ周波数）を印加し、その周波数を変えていくと、フィルム給送用モータ２７の発生する漏れ磁束は図８の様な周波数特性を示す。この特性は、モータ４７のインダクタンスＬとコンデンサ４６の容量Ｃにより主に決定される。
【００５９】
又、付加するコンデンサ４６の容量Ｃの値によりモータ４７の駆動の立上り，停止の制御性が変わる。よって、制御性に影響のない範囲内で大きくすることにより、漏れ磁束周波数特性を図８中のＡ→Ｂの低周波方向へ移動でき、パルス幅変調周波数の特性範囲を拡大できる。
【００６０】例えば、モータ４７のインダクタンスＬを「１００μＨ」とし、コンデンサ４６の容量Ｃを「０．１  μＦ」とすると、パルス幅変調周波数ｆは
0003630774.tif 000002
となり、パルス幅変調周波数を５０ＫＨｚ以上とする。
【００６１】
この様に、フィルム給送用モータ２７の通電切換え周波数を該モータの漏れ磁束発生周波数よりも高くすることにより、フィルム給送モータ２７からの磁束漏れを無くすことが実験的にも確認できており、ノイズの無い磁気再生信号を得ることができる。
【００６２】
（発明と実施例の対応）
本実施例において、磁気ヘッド１０及び磁気記録再生部３７が本発明の磁気再生手段に相当し、フォトリフレクタ２９，３０が本発明のフィルム給送速度検出手段に相当し、ドライバ回路３６が本発明の通電状態変更手段に相当し、制御回路３１が本発明の変更周波数設定手段に相当する。
【００６３】
以上が実施例の各構成と本発明の各構成の対応関係であるが、本発明は、これら実施例の構成に限定されるものではなく、請求項で示した機能、又は実施例がもつ機能が達成できる構成であればどのようなものであってもよいことは言うまでもない。
【００６４】
（変形例）
本発明は、フォトリフレクタによりパーフォレーションを検出することでフィルムの給送速度を検出する様にしていたが、回転するパルス板を用いて行う方法等、他のどのような方法であっても本発明は適用できるものである。
【００６５】
また、本発明は、一眼レフカメラ，レンズシャッタカメラ等、何れのカメラにも適用できるものである。
【００６７】
【発明の効果】
以上説明したように、本発明によれば、通電状態変更手段の通電状態変更周波数を磁気再生信号周波数よりも高く設定し、通電状態変更周波数が磁気再生信号周波数に干渉しない様にすると共に、帯域の狭い磁気再生信号のみを通過させるようにしている。
【００６８】
また、本発明によれば、通電状態変更手段の通電状態変更周波数をフィルム給送用モータの漏れ磁束周波数よりも高く設定するようにし、フィルム給送用モータからの漏れ磁束を低減するようにしている。
【００６９】
よって、複雑な回路構成にすることなく、ノイズの無い、安定した磁気再生信号を得ることができる。
【図面の簡単な説明】
【図１】本発明の第１の実施例におけるカメラの要部構成を示す斜視図である。
【図２】図１のカメラにおいてフィルムへ磁気ヘッドにより磁気情報の記録を行う際の様子を示す図である。
【図３】図１のカメラの電気的構成を示すブロック図である。
【図４】図１のカメラの動作を示すフローチャートである。
【図５】図４のステップ１２０におけるフィルム給送動作を示すフローチャートである。
【図６】図１の磁気再生回路の周波数特性とフィルム給送用モータのパルス幅変調周波数特性の関係を示す図である。
【図７】本発明の第２の実施例における主要部分の構成を示す回路図である。
【図８】図７のフィルム給送用モータの漏れ磁束周波数特性について説明する為の図である。
【符号の説明】
１            フィルム
２            パーフォレーション
３            磁気記録部
４            フィルムカートリッジ
１０          磁気ヘッド
１２，１３    フォトリフレクタ
２７          フィルム給送用モータ
３１          制御回路
３５          ドライバ回路
３７          磁気記録再生部
【図１】
0003630774.tif 000003
【図２】
0003630774.tif 000004
【図３】
0003630774.tif 000005
【図４】
0003630774.tif 000006
【図５】
0003630774.tif 000007
【図６】
0003630774.tif 000008
【図７】
0003630774.tif 000009
【図８】
0003630774.tif 000010